(57)【要約】【課題】長距離の監視制御信号の伝送に対応できる通信回線を提供する光伝送装置を提供する。【解決手段】送信監視制御信号とＡｄｄ信号群とを合波し、合波信号を出力する合波手段と、波長選択スイッチ機能により合波信号を選択的に切り替えて送信ＷＤＭ信号を作成し、送信ＷＤＭ信号を伝送ラインに出力するクロスコネクト手段と、外部からの制御情報に基づいて、少なくとも送信監視制御信号を含み、送信監視制御信号を除く信号の一部または全部を含まない送信ＷＤＭ信号を作成する信号制限をクロスコネクト手段に指示する監視制御手段を備えることを特徴とする。【選択図】      図２
2015070421.tif 000002
【特許請求の範囲】
【請求項１】
送信監視制御信号とＡｄｄ信号群とを合波し、合波信号を出力する合波手段と、
波長選択スイッチ機能により前記合波信号を選択的に切り替えて送信ＷＤＭ信号を作成し、前記送信ＷＤＭ信号を伝送ラインに出力するクロスコネクト手段と、
外部からの制御情報に基づいて、少なくとも前記送信監視制御信号を含み、前記送信監視制御信号を除く信号の一部または全部を含まない前記送信ＷＤＭ信号を作成する信号制限を前記クロスコネクト手段に指示する監視制御手段と
を備えることを特徴とする光伝送装置。
【請求項２】
前記送信ＷＤＭ信号を増幅する第１の光増幅器をさらに備え、
前記監視制御手段は、前記制御情報に基づいて前記クロスコネクト手段と前記第１の光増幅器を制御する
ことを特徴とする請求項１に記載の光伝送装置。
【請求項３】
前記クロスコネクト手段は、前記合波信号および外部からの受信ＷＤＭ信号を用いて前記送信ＷＤＭ信号を作成する
ことを特徴とする請求項１または２に記載の光伝送装置。
【請求項４】
前記受信ＷＤＭ信号を増幅する第２の光増幅器と、
前記増幅された前記受信ＷＤＭ信号から前記クロスコネクト手段により分波された分波信号から、Ｄｒｏｐ信号群と受信監視制御信号を分波する分波手段と、
前記受信監視制御信号を少なくとも含む入力信号に基づいて、前記制御情報を作成して前記監視制御手段に送信し、前記監視制御手段からの監視制御情報に基づいて前記送信監視制御信号を出力する監視通信手段をさらに備え、
前記クロスコネクト手段は、前記監視制御手段からの制御信号によって所定の分波信号を分波する機能をさらに備え、
前記監視制御手段は、前記制御情報に基づいて前記クロスコネクト手段と前記第２の光増幅器を制御する
ことを特徴とする請求項３に記載の光伝送装置。
【請求項５】
前記監視制御手段は、前記制御情報に前記伝送ラインに関わる伝送路の障害を検知したことを知らせるアラーム情報が含まれているとき、前記クロスコネクト手段に前記信号制限を指示し、
前記制御情報に前記伝送ラインに関わる伝送路の障害の復旧を検知したことを知らせる情報が含まれているとき、前記クロスコネクト手段に前記信号制限の解除を指示する
ことを特徴とする請求項１から４のいずれか１項に記載の光伝送装置。
【請求項６】
第１の送信監視制御信号と第１のＡｄｄ信号群とを合波し、第１の合波信号を出力する合波手段と、
外部からＷＤＭ信号を入力し、波長選択スイッチ機能により前記第１の合波信号を選択的に切り替えて第１の送信ＷＤＭ信号を作成し、前記第１の送信ＷＤＭ信号を第１の伝送ラインから外部へ出力する第１のクロスコネクト手段と、
外部からの制御情報に基づいて、少なくとも前記第１の送信監視制御信号を含み、前記第１の送信監視制御信号を除く信号の一部または全部を含まない前記第１の送信ＷＤＭ信号を作成する信号制限を前記第１のクロスコネクト手段に指示する監視制御手段を備える第１の光伝送装置と、
第２の送信監視制御信号と第２のＡｄｄ信号群とを合波し、第２の合波信号を出力する合波手段と、
前記第１の送信ＷＤＭ信号を第１の受信ＷＤＭ信号として前記第１の伝送ラインから入力し、波長選択スイッチ機能により前記第２の合波信号を選択的に切り替えて第２の送信ＷＤＭ信号を作成し、前記第２の送信ＷＤＭ信号を第２の受信ＷＤＭ信号として第２の伝送ラインから前記第１の光伝送装置へ入力する第２のクロスコネクト手段と、
外部からの制御情報に基づいて、少なくとも前記第２の送信監視制御信号を含み、前記第２の送信監視制御信号を除く信号の一部または全部を含まない前記第２の送信ＷＤＭ信号を作成する信号制限を前記第２のクロスコネクト手段に指示する監視制御手段を備える第２の光伝送装置とを備える
ことを特徴とする光伝送システム。
【請求項７】
送信監視制御信号とＡｄｄ信号群とを合波して合波信号を出力し、
波長選択スイッチ機能により前記合波信号を選択的に切り替えて送信ＷＤＭ信号を作成して、前記送信ＷＤＭ信号を伝送ラインに出力し、
外部からの制御情報に基づいて、少なくとも前記送信監視制御信号を含み、前記送信監視制御信号を除く信号の一部または全部を含まない前記送信ＷＤＭ信号を作成させる信号制限を前記クロスコネクト手段に指示する
ことを特徴とする光伝送方法。
【発明の詳細な説明】
【技術分野】
【０００１】
本発明は、長距離の監視制御信号の伝送に対応できる通信回線を提供する光伝送装置、光伝送システムおよび光伝送方法に関する。
【背景技術】
【０００２】
近年、リッチコンテンツへの需要が高まるにともない、通信ネットワークが取り扱う通信トラフィックは急激に増大している。通信ネットワークを構成する光ファイバー伝送ネットワークの大容量化とその整備が通信トラフィックの増大を支えている。その中でも、ＷＤＭ（Wavelength Division Multiplexing ）技術は、光ファイバーによる情報伝送量を飛躍的に増大させることに貢献している。ＷＤＭ通信を担うＷＤＭ通信装置間の伝送距離は、都市内を結ぶ短距離ネットワークから都市間や主要都市間を結ぶ長距離ネットワークまで多様である。
【０００３】
クライアントが伝送しようとする情報（ユーザデータ）がのった信号は主信号と呼ばれる。主信号は、ＷＤＭ通信装置によって伝送される。一方、ＷＤＭ通信装置間の通信には、ＯＳＣ（Optical Supervisory Channel）信号が用いられる。ＯＳＣ信号は、主信号とは別の波長帯を使って伝送されることが多い。すなわち、ＯＳＣ信号は、通常、Ｏｕｔ−ｂａｎｄ伝送される。
【０００４】
ＯＳＣ信号は、通信装置間で通信される信号で、主信号の通信に関わる情報や、主信号を伝送する伝送路や通信装置の状態を示す監視情報を含むもので、監視制御信号とも呼ばれる。主信号の通信に関わる情報には、例えば、主信号に含まれる波長数や、伝送する経路情報などが含まれる。また、監視情報には、伝送路の回線品質情報や、回線障害の発生、復旧を伝える情報などが含まれる。
【０００５】
長距離ネットワークに対応するＷＤＭ通信装置は、主信号光を増幅するだけでなく、ＯＳＣ信号光も増幅する必要がある。このことは、コスト増の要因となる、ＯＳＣ信号光用の光増幅器を備える必要があることを意味する。
【０００６】
通信ノード間で発生するケーブルの切断などによって、切断個所から高い出力レベルのレーザー光が放出されることを防止するために、各通信ノードには、ＩＴＵ−Ｔ勧告Ｇ．６６４（非特許文献１）で勧告されているＡＰＲ（Automatic Power Reduction）機能を安全対策として備えることが要請されている。そのため、各通信ノードは、下流の通信ノードからの入力断（ＬＯＳ：Loss of Signal）アラームに基づいて、下流方向の伝送路への光信号の出力レベルを低下させるために光増幅器の増幅動作を停止する「ＡＰＲ機能」を備えている。「ＡＰＲ機能」とは、伝送路への光信号の出力レベルを安全なレベルに低下させる機能である。
【０００７】
特許文献１には、光ファイバー伝送ネットワークにおいて、各通信ノード間を結ぶＯＳＣ回線を多重化してＡＲＰ機能を提供する方式が開示されている。特許文献１の技術は、ＯＳＣ信号をＯｕｔ−ｂａｎｄ伝送するＯＳＣ回線を多ルートで構成する技術である。すなわち、特許文献１の技術は、主信号回線に備えられた双方向のＯＳＣ回線を多重化する技術である。また、特許文献１には、ＯＳＣ回線をリング状とする構成や、主信号回線とは別に各通信ノード間を結ぶ他のネットワークを併用してＯＳＣ信号を伝送する構成が開示されている。
【０００８】
特許文献２には、光ノード装置間の伝送距離が短いため、光増幅器を備えていない光ノード装置において、ＡＰＲ機能を提供する技術が開示されている。特許文献２の技術は、ＯＳＣ信号をＯｕｔ−ｂａｎｄ伝送し、可変光減衰器によって主信号光を減衰させる技術である。
【先行技術文献】
【特許文献】
【０００９】
【特許文献１】特開２０１２−１８６６３６号公報（第７−１１、図１）
【特許文献２】特開２００４−２９７７９０号公報（第５−８頁、図３、４）
【非特許文献】
【００１０】
【非特許文献１】「ＩＴＵ−Ｔ勧告Ｇ．６６４第三版」２００６年３月
【発明の概要】
【発明が解決しようとする課題】
【００１１】
特許文献１の技術は、ＯＳＣ回線を多ルートで構成することによって、ＯＳＣ回線の耐障害性を強化するものである。しかし、特許文献１の技術は、長距離伝送に対応するためにはＯＳＣ信号光用の光増幅器の増設が必要である。したがって、特許文献１の技術には、ＯＳＣ信号光用の光増幅器を設けるためのコストアップが発生するという問題がある。
【００１２】
特許文献２の技術は、主信号に光増幅器を備えない短距離光ファイバー伝送ネットワークの通信ノードにおいて、ＯＳＣ信号をＯｕｔ−ｂａｎｄ伝送し、主信号光の強度レベルを可変光減衰器などにより一括して減衰させることでＡＲＰ機能を実現する技術である。したがって、特許文献２の技術は、主信号もＯＳＣ信号も長距離伝送できない。そのため、特許文献２の技術は、長距離伝送に対応するには、主信号光とＯＳＣ信号光をそれぞれ増幅する光増幅器を備える必要がある。したがって、特許文献２の技術には、ＯＳＣ信号光用に光増幅器を設けるためのコストアップが発生するという問題がある。
【００１３】
本発明の目的は、上記の状況に鑑みてなされたもので、ＯＳＣ信号の長距離伝送に対応できる光伝送装置、光伝送システムおよび光伝送方法を提供することにある。
【課題を解決するための手段】
【００１４】
本発明の光伝送装置は、送信監視制御信号とＡｄｄ信号群とを合波し、合波信号を出力する合波手段と、波長選択スイッチ機能により合波信号を選択的に切り替えて送信ＷＤＭ信号を作成し、送信ＷＤＭ信号を伝送ラインに出力するクロスコネクト手段と、外部からの制御情報に基づいて、少なくとも送信監視制御信号を含み、送信監視制御信号を除く信号の一部または全部を含まない送信ＷＤＭ信号を作成する信号制限をクロスコネクト手段に指示する監視制御手段を備えることを特徴とする。
【００１５】
本発明の光伝送システムは、第１の送信監視制御信号と第１のＡｄｄ信号群とを合波し、第１の合波信号を出力する合波手段と、外部からＷＤＭ信号を入力し、波長選択スイッチ機能により第１の合波信号を選択的に切り替えて第１の送信ＷＤＭ信号を作成し、第１の送信ＷＤＭ信号を第１の伝送ラインから外部へ出力する第１のクロスコネクト手段と、  外部からの制御情報に基づいて、少なくとも第１の送信監視制御信号を含み、第１の送信監視制御信号を除く信号の一部または全部を含まない第１の送信ＷＤＭ信号を作成する信号制限を第１のクロスコネクト手段に指示する監視制御手段を備える第１の光伝送装置と、  第２の送信監視制御信号と第２のＡｄｄ信号群とを合波し、第２の合波信号を出力する合波手段と、第１の送信ＷＤＭ信号を第１の受信ＷＤＭ信号として第１の伝送ラインから入力し、波長選択スイッチ機能により第２の合波信号を選択的に切り替えて第２の送信ＷＤＭ信号を作成し、第２の送信ＷＤＭ信号を第２の受信ＷＤＭ信号として第２の伝送ラインから第１の光伝送装置へ入力する第２のクロスコネクト手段と、外部からの制御情報に基づいて、少なくとも第２の送信監視制御信号を含み、第２の送信監視制御信号を除く信号の一部または全部を含まない第２の送信ＷＤＭ信号を作成する信号制限を第２のクロスコネクト手段に指示する監視制御手段を備える第２の光伝送装置を備えることを特徴とする
本発明の光伝送方式は、送信監視制御信号とＡｄｄ信号群とを合波し、合波信号を出力し、波長選択スイッチ機能により合波信号を選択的に切り替えて送信ＷＤＭ信号を作成し、送信ＷＤＭ信号を伝送ラインに出力し、外部からの制御情報に基づいて、少なくとも送信監視制御信号を含み、送信監視制御信号を除く信号の一部または全部を含まない送信ＷＤＭ信号を作成させる信号制限をクロスコネクト手段に指示することを特徴とする。
【発明の効果】
【００１６】
本発明によれば、監視制御信号の長距離伝送に対応することができる。
【図面の簡単な説明】
【００１７】
【図１】本発明の第１の実施形態の光伝送装置の構成例を示すブロック図である。
【図２】本発明の第１の実施形態の光伝送装置の最小構成を示すブロック図である。
【図３】本発明の第２の実施形態の光伝送装置の構成例を示すブロック図である。
【図４】本発明の第３の実施形態の光ファイバー伝送システムを例示するシステム図である。
【図５】本発明の第３の実施形態の光伝送装置の動作例を示すブロック図である。
【発明を実施するための形態】
【００１８】
以下に、本発明の実施形態について図面を参照して詳細に説明する。
（第１の実施形態）
本発明の第１の実施形態について説明する。図１は、本実施形態の光伝送装置１の構成例を示すブロック図である。図１を参照して、本実施形態の光伝送装置１の構成について説明する。
【００１９】
光伝送装置１は、合波手段１０とクロスコネクト手段１１と監視制御手段１２を備える。合波手段１０は、複数のＡｄｄ信号とＯＳＣ信号とを合波し、合波信号を出力する。監視制御手段１２は、外部からの制御情報に基づいて、クロスコネクト手段１１に制御信号を出力する。クロスコネクト手段１１は、出力信号の切り替えを行うための「波長選択スイッチ機能」を備える。「波長選択スイッチ機能」とは、波長分割多重された入力信号を波長単位で選択的に所定の方路にスイッチングする機能である。そして、クロスコネクト手段１１は、監視制御手段１２からの制御信号に基づいて、合波手段１０からの合波信号と伝送路から入力されたＷＤＭ入力信号とを波長単位で選択的に切り替え、ＷＤＭ出力信号として伝送路へ出力する。
【００２０】
図１を参照して、第１の実施形態の光伝送装置１の動作について説明する。Ｗｅｓｔ方向から伝送されてきたＷＤＭ入力信号は、クロスコネクト手段１１に入力される。合波手段１０は、複数のＡｄｄ信号とＯＳＣ信号から合波信号を作成し、クロスコネクト手段１１に入力する。クロスコネクト手段１１は、入力されたＷＤＭ入力信号と合波信号とを波長選択スイッチ機能を用いて選択的に切り替えてＷＤＭ出力信号を作成する。そして、作成されたＷＤＭ出力信号は、クロスコネクト手段１１からＥａｓｔ方向の伝送路に出力される。
【００２１】
なお、本発明では、伝送路の方向を示すために、Ｗｅｓｔ方向とＥａｓｔ方向との表現を便宜的に使用する。しかし、本発明は、Ｗｅｓｔ方向やＥａｓｔ方向などの同レベル内での通信のみでなく、上位の伝送装置と下位の伝送装置との間の通信にも適用可能である。
【００２２】
このとき、外部からの制御情報に基づいて、監視制御手段１２は、クロスコネクト手段１１の制御を行う。具体的には、監視制御手段１２は、外部からの制御情報に基づいて、クロスコネクト手段１１の波長選択スイッチ機能によりＯＳＣ信号以外の信号を除いてＷＤＭ出力信号を作成させる信号制限を起動する。この制御により、監視制御手段１２は、クロスコネクト手段１１から出力されるＷＤＭ出力信号には実質的にはＯＳＣ信号のみが含まれるように、ＷＤＭ出力信号の出力レベルを低下させることができる。
【００２３】
すなわち、外部からの制御情報にＥａｓｔ方向の下流で発生した回線断を検知したことを知らせるアラーム情報が含まれていれば、監視制御手段１２は、ＷＤＭ出力信号の出力レベルを低下させる制御信号をクロスコネクト手段１１に出力する。クロスコネクト手段１１は、その制御信号に基づいて、ＷＤＭ出力信号の出力レベルを低下させる。光伝送装置１は、外部からの制御情報に基づいてＡＰＲ動作を行う。
【００２４】
また、外部からの制御情報に基づいて、監視制御手段１２は、クロスコネクト手段１１に上述の信号制限を解除させる。すなわち、外部からの制御情報に上述の回線断が復旧したことを知らせる情報が含まれていれば、監視制御手段１２は、ＷＤＭ出力信号の出力レベルの低下を解除する制御信号をクロスコネクト手段１１に出力する。クロスコネクト手段１１は、その制御信号に基づいて、ＯＳＣ信号以外の信号の除去を解除したＷＤＭ出力信号を作成して、出力する。そのため、ＷＤＭ出力信号の出力レベルは復旧される。光伝送装置１は、外部からの制御情報に基づいてＡＰＲ動作を解除する。
【００２５】
このように、監視制御手段１２は、外部からの制御情報に基づいて、クロスコネクト手段１１によるＷＤＭ出力信号の作成を制御し、ＷＤＭ出力信号の出力レベルを低下させることができる。監視制御手段１２は、ＷＤＭ出力信号の出力レベルを低下させることで、ＡＰＲ機能を実現する。なお、ＡＰＲ機能動作時においても、クロスコネクト手段１１は、ＯＳＣ信号の出力を維持する。
【００２６】
図１に示した構成は、光伝送装置の間が短距離の場合の構成を示したものである。そのため、図１では、光伝送装置１は、クロスコネクト手段１１の前段と後段に光増幅器を備えていない。光伝送装置１を長距離伝送に対応させるためには、ＷＤＭ入力信号の伝送路での減衰を補償する光増幅器とＷＤＭ出力信号を増幅して伝送路に出力する光増幅器がクロスコネクト手段１１の前段と後段に設けられる。
【００２７】
しかし、光伝送装置１では、ＯＳＣ信号がＷＤＭ出力信号に合波されて伝送されるので、ＯＳＣ信号光用に光増幅器を設ける必要はない。したがって、光伝送装置１の長距離伝送対応では、ＯＳＣ信号光用の光増幅器によるコストアップは発生しない。
【００２８】
以上、本実施形態の光伝送装置は、ＯＳＣ信号の長距離伝送に対応することができる。
【００２９】
なお、本実施形態では、クロスコネクト手段１１は、ＷＤＭ入力信号と分波信号とからＷＤＭ出力信号を作成すると説明したが、ＷＤＭ出力信号は分波信号のみから作成してもよい。すなわち、中継するためのＷＤＭ入力信号のない端局としての光伝送装置にも、本実施形態は適用することができる。
【００３０】
図２に本実施形態の最小構成の光伝送装置２のブロック図を示す。光伝送装置２は、図１で説明したクロスコネクト手段１１が変更されていること以外は、図１と同一の構成を備える。図１と同一の構成要素には、同一の名称、同一の番号を付記して説明を省略し、相違点のみを説明する。
【００３１】
相違点は、光伝送装置２のクロスコネクト手段１３が、ＷＤＭ入力信号は使用せず、分波手段１０からの分波信号からＷＤＭ出力信号を作成することである。それ以外は、光伝送装置２は、前述の光伝送装置１と同様の動作を行う。
【００３２】
したがって、光伝送装置２は、光伝送装置１と同様に、ＯＳＣ信号の長距離伝送に対応することができる。光伝送装置２が長距離伝送に対応するためには、ＯＳＣ信号光用の光増幅器を必要としないので、ＯＳＣ信号光用の光増幅器によるコストアップは発生しない。
（第２の実施形態）
本発明の第２の実施形態について説明する。図３は、本実施形態の光伝送装置３の構成例を示すブロック図である。図３を参照して、本実施形態の光伝送装置３の構成と動作について説明する。
【００３３】
光伝送装置３は、図１で説明したクロスコネクト手段１１が変更され、光増幅器２１、２３と分波手段２４、監視通信手段２５が追加されている以外は、図１と同一の構成を備える。図１と同一の構成要素には、同一の名称、同一の番号を付記して説明を省略する。
【００３４】
光増幅器２１および２３は、ＷＤＭ入力信号およびＷＤＭ出力信号をそれぞれ増幅する。Ｗｅｓｔ方向からのＷＤＭ入力信号は、光増幅器２１に入力されて増幅される。また、クロスコネクト手段２２で作成されたＷＤＭ出力信号は、光増幅器２３に入力されて増幅されて、Ｅａｓｔ方向の伝送路に出力される。
【００３５】
クロスコネクト手段２２は、光増幅器２１で増幅されたＷＤＭ入力信号を入力し、波長選択スイッチ機能によって分波信号を分波し、分波手段２４に出力する。また、クロスコネクト手段２２は、合波手段１０で合波された合波信号を入力する。クロスコネクト手段２２は、光増幅器２１で増幅されたＷＤＭ入力信号から波長選択スイッチ機能によって分波信号を分波したあとのＷＤＭ中継信号と入力された合波信号とを波長単位で選択的に切り替えてＷＤＭ出力信号を作成し、後段の光増幅器２３に入力する。光増幅器２３は、入力されたＷＤＭ出力信号を増幅して、Ｅａｓｔ方向の伝送路に出力する。
【００３６】
分波手段２４は、クロスコネクト手段２２からの分波信号から、複数のＤｒｏｐ信号とＯＳＣ信号を分波する。分波されたＯＳＣ信号は、Ｗｅｓｔ方向から伝送された信号として監視通信手段２５に入力される。合波手段１０は、複数のＡｄｄ信号と監視通信手段２５から出力されたＥａｓｔ方向へのＯＳＣ信号を合波し、合波信号としてクロスコネクト手段２２に出力する。
【００３７】
監視通信手段２５は、監視制御手段１２の制御に基づいて監視制御に関わる信号の作成と送受信を行う。監視通信手段２５は、Ｗｅｓｔ方向からのＯＳＣ信号と他の方向からのＯＳＣ信号を受信して、監視制御手段１２に制御情報として伝える。また、監視通信手段２５は、監視制御手段１２からの監視制御情報に基づいて、Ｅａｓｔ方向へのＯＳＣ信号を作成し、送信する。
【００３８】
監視制御手段１２は、監視通信手段２５からの制御情報に基づいて、クロスコネクト手段２２の制御を行う。具体的には、監視制御手段１２は、監視通信手段２５からの制御情報に基づいて、クロスコネクト手段２２の波長選択スイッチ機能により合波信号に含まれるＥａｓｔ方向へのＯＳＣ信号以外の信号を除いてＷＤＭ出力信号を作成させる信号制限を起動する。この制御により、監視制御手段１２は、クロスコネクト手段２２から出力されるＷＤＭ出力信号にはＥａｓｔ方向へのＯＳＣ信号のみが含まれるようにして、ＷＤＭ出力信号の出力レベルを低下させる。光伝送装置３は、監視通信手段２５からの制御情報に基づいてＡＰＲ動作を行う。
【００３９】
また、監視通信手段２５からの制御情報に基づいて、監視制御手段１２は、クロスコネクト手段２２にＷＤＭ出力信号の出力レベルを低下させる上述の信号制限を解除させる。すなわち、監視制御手段１２は、監視通信手段２５からの制御情報に基づいて、クロスコネクト手段２２の波長選択スイッチ機能によるＥａｓｔ方向へのＯＳＣ信号以外の信号の除外を解除させて、本来のＷＤＭ出力信号の作成をクロスコネクト手段２２に行わせる。これによって、ＷＤＭ出力信号の出力レベルは本来の出力レベルに戻される。光伝送装置３は、監視通信手段２５からの制御情報に基づいてＡＰＲ動作を解除する。
【００４０】
このように、監視制御手段１２は、監視通信手段２５の制御情報に基づいて、クロスコネクト手段２２によるＷＤＭ出力信号の作成を制御し、ＷＤＭ出力信号の出力レベルを低下させることができる。監視制御手段１２は、ＷＤＭ出力信号の出力レベルを低下させることで、ＡＰＲ機能を実現する。ＡＰＲ機能動作時においても、クロスコネクト手段２２は、ＯＳＣ信号の出力を維持する。
【００４１】
以上、本実施形態の光伝送装置は、第１の実施形態と同様に、ＯＳＣ信号の長距離伝送に対応することができる。さらに、本実施形態の光伝送装置３は、伝送路に対して光増幅器を備えているので、長距離伝送することができる。
【００４２】
なお、光伝送装置３は、ＯＳＣ信号光用の光増幅器を備える必要がないので、ＯＳＣ信号光用の光増幅器によるコストアップは発生しない。
（第３の実施形態）
本発明の第３の実施形態について説明する。図４は、本実施形態の光伝送装置４によるシステム構成例を示すシステム図である。図５は、本実施形態の光伝送装置４の構成例を示すブロック図である。
【００４３】
図４を参照して、本実施形態の光伝送装置４によるシステム構成について説明する。図４のシステムでは、複数の光伝送装置４がネットワークで接続されている。光伝送装置４＃ｎ（ｎは１以上の整数）、光伝送装置４＃ｎ＋１、光伝送装置４＃ｎ＋２は、それぞれが伝送路ＡのＷＤＭ信号と伝送路ＢのＷＤＭ信号の伝送を行うとともに、それぞれ所定の波長の信号の分離と追加を行なう。伝送路Ａは、Ｗｅｓｔ方向からＥａｓｔ方向にＷＤＭ信号が伝送される。伝送路Ｂは、Ｅａｓｔ方向からＷｅｓｔ方向にＷＤＭ信号が伝送される。
【００４４】
図５は、図４で示した隣り合う２台の光伝送装置４のブロック図である。図５を参照して、光伝送装置４の構成について説明する。
【００４５】
光伝送装置４＃ｎは、合波部１１０、合波部１１１と、分波部１５０、分波部１５１と、監視通信部１３０、監視通信部１３１とクロスコネクト部１２０、クロスコネクト部１６０と、光増幅部１７０、光増幅器１７１、光増幅器１７２、光増幅器１７３と監視制御部１４０を備える。
【００４６】
光伝送装置４＃ｎ＋１は、合波部２１０、合波部２１１と、分波部２５０、分波部２５１と、監視通信部２３０、監視通信部２３１とクロスコネクト部２２０、クロスコネクト部２６０と、光増幅部２７０、光増幅器２７１、光増幅器２７２、光増幅器２７３と監視制御部２４０を備える。
【００４７】
このように、光伝送装置４＃ｎ＋１は、光伝送装置４＃ｎと同じ光伝送装置４なので、ここでは、光伝送装置４＃ｎの構成のみを説明し、光伝送装置４＃ｎ＋１の説明を省略する。
【００４８】
光増幅器１７０は、伝送路ＡのＷｅｓｔ方向から入力されたＷＤＭ入力信号を増幅し、クロスコネクト部１２０に入力する。クロスコネクト部１２０は、光増幅器１７０から入力されたＷＤＭ入力信号から所定の波長の信号を分波し、分波された分波信号を分波部１５０に出力する。また、クロスコネクト部１２０は、入力されたＷＤＭ入力信号から分波信号を分波した後のＷＤＭ中継信号と合波部１１０からの合波信号とを波長単位で選択的に切り替えてＷＤＭ出力信号を作成し、後段の光増幅器１７１に入力する。光増幅器１７１は、クロスコネクト部１２０から入力されたＷＤＭ出力信号を増幅して、伝送路ＡのＥａｓｔ方向に出力する。
【００４９】
分波部１５０は、クロスコネクト部１２０からの分波信号から複数のＤｒｏｐ信号とＷｅｓｔ方向からのＯＳＣ信号に分波する。Ｗｅｓｔ方向からのＯＳＣ信号は、監視通信部１３１に入力される。合波部１１０は、監視通信部１３０からＥａｓｔ方向へのＯＳＣ信号と複数のＡｄｄ信号を合波し、合波信号としてクロスコネクト部１２０に出力する。
【００５０】
光増幅器１７２は、伝送路ＢのＥａｓｔ方向から入力されたＷＤＭ入力信号を増幅し、クロスコネクト部１６０に入力する。クロスコネクト部１６０は、光増幅器１７２から入力されたＷＤＭ入力信号から所定の波長の信号を分波し、分波された分波信号を分波部１５１に出力する。また、クロスコネクト部１６０は、入力されたＷＤＭ入力信号から分波信号を分波した後のＷＤＭ中継信号と合波部１１１からの合波信号とを波長単位で選択的に切り替えてＷＤＭ出力信号を作成し、後段の光増幅器１７３に入力する。光増幅器１７３は、クロスコネクト部１６０から入力されたＷＤＭ出力信号を増幅して、伝送路ＢのＷｅｓｔ方向に出力する。
【００５１】
分波部１５１は、クロスコネクト部１６０からの分波信号から複数のＤｒｏｐ信号とＥａｓｔ方向からのＯＳＣ信号に分波する。Ｅａｓｔ方向からのＯＳＣ信号は、監視通信部１３０に入力される。合波部１１１は、監視通信部１３１からＷｅｓｔ方向へのＯＳＣ信号と複数のＡｄｄ信号を合波し、合波信号としてクロスコネクト部１６０に出力する。
【００５２】
監視通信部１３０は、伝送路ＢのＥａｓｔ方向からのＯＳＣ信号を分波部１５１から受信して監視制御部１４０に制御情報として伝える。そして、監視通信部１３０は、監視制御部１４０からの監視制御情報に基づいて伝送路ＡのＥａｓｔ方向へのＯＳＣ信号を作成し、合波部１１０に送信する。
【００５３】
監視通信部１３１は、伝送路ＡのＷｅｓｔ方向からのＯＳＣ信号を分波部１５０から受信して監視制御部１４０に制御情報として伝える。そして、監視通信部１３１は、監視制御部１４０からの監視制御情報に基づいて伝送路ＢのＷｅｓｔ方向へのＯＳＣ信号を作成し、合波部１１１に送信する。
【００５４】
監視制御部１４０は、監視通信部１３０および１３１からの制御情報に基づいて、クロスコネクト部１２０および１６０と、光増幅器１７１および１７３の制御を行う。
【００５５】
図５を参照して、本実施形態の光伝送装置４の動作について説明する。図５では、伝送路ＡのＥａｓｔ方向に向かう伝送路（光伝送装置４＃ｎと光伝送装置４＃ｎ＋１の間）で伝送路断が発生したときの光伝送装置４の動作について説明する。なお、図５に示したＳ１からＳ５は、次のステップＳ１からＳ５に対応する。
【００５６】
ステップＳ１：伝送路Ａにおいて伝送路の切断が発生する。
【００５７】
ステップＳ２：伝送路Ａの切断個所の下流にあたる光伝送装置＃ｎ＋１の監視通信部２３１は、ＷＤＭ信号に含まれる伝送路ＡのＷｅｓｔ方向からのＯＳＣ信号が途絶えたことを検知する。
【００５８】
ステップＳ３：監視通信部２３１は、監視制御部２４０に、伝送路ＡのＷｅｓｔ方向からのＯＳＣ信号の途絶を検知したことを制御情報として伝える。
【００５９】
ステップＳ４：監視通信部２３１からの制御情報に基づいて、監視制御部２４０は、伝送路Ａに障害が発生したと判断する。そして、監視制御部２４０は、その判断結果に基づいて、伝送路ＢのＷｅｓｔ方向へのＯＳＣ信号により、隣接する光伝送装置４＃ｎの監視制御部１４０に伝送路ＡのＥａｓｔ方向へのＷＤＭ出力信号に対するＡＰＲ動作を要求する。
【００６０】
ステップＳ５：光伝送装置４＃ｎの監視制御部１４０は、伝送路ＢのＷｅｓｔ方向へのＷＤＭ入力信号に含まれる監視制御部２４０からのＯＳＣ信号により、ＡＰＲ動作の要求を受信する。そして、ＡＰＲ動作の要求に基づいて、監視制御部１４０は、伝送路Ａのクロスコネクト部１２０に、監視通信部１３０からのＥａｓｔ方向へのＯＳＣ信号以外の信号を除いたＷＤＭ出力信号を作成させる信号制限を行わせる。これにより、クロスコネクト部１２０から光増幅器１７１に入力されるＷＤＭ出力信号の出力レベルは低下される。すなわち、光増幅器１７１に入力されるＷＤＭ出力信号光の出力レベルが低下されるので、光増幅器１７１から伝送路に出力される出力レベルは安全を確保できる出力レベルに低下される。
【００６１】
このようにして、ステップＳ１で発生した伝送路Ａの切断は、隣接する光伝送装置４＃ｎ＋１にて検知される。そして、光伝送装置４＃ｎ＋１がＡＰＲ動作の要求を光伝送装置４＃ｎに送信して、光伝送装置４＃ｎはＡＰＲ動作を行う。
【００６２】
なお、ステップＳ１で発生した切断が修復されれば、監視通信部２３１は、監視通信部１３０からのＥａｓｔ方向への出力が維持されているＯＳＣ信号を再度受信することができる。監視通信部２３１は、光伝送装置４＃ｎから伝送路Ａを経由してＯＳＣ信号を再度受信したことを制御情報として監視制御部２４０に伝える。そして、監視通信部２３１からその制御情報を受けて、監視制御部２４０は、伝送路Ａの切断が修復されたと判断する。その判断結果に基づいて、監視制御部２４０は、監視制御部１４０へのＡＰＲ動作の要求を解除する。監視制御部１４０は、ＡＰＲ動作の要求の解除を受信して、伝送路Ａのクロスコネクト部１２０に上述の信号制限を解除させる。
【００６３】
したがって、伝送路Ａの切断の修復により、伝送路ＡのＥａｓｔ方向へのＷＤＭ出力信号の作成は、自律的に復旧される。すなわち、伝送路ＡのＥａｓｔ方向へのＷＤＭ出力信号の出力レベルは本来の出力レベルに戻される。光伝送装置４＃ｎのＡＰＲ動作は、自律的に解除される。
【００６４】
以上、本実施形態の光伝送装置は、第１の実施形態および第２の実施形態と同様に、ＯＳＣ信号の長距離伝送に対応することができる。さらに、本実施形態の光伝送装置４は、長距離伝送に対応し、かつ対向する伝送路のＯＳＣ信号を使用した伝送路の障害発生と修復の検知に基づいて、上述の信号制限の起動と解除を自律的に行うことができる。
【００６５】
なお、本実施形態では、監視通信部がＯＳＣ信号の途絶を検知して監視制御部に伝送路の障害発生を知らせると説明したが、伝送路の障害発生の検知はＯＳＣ信号の途絶の検知には限定されない。例えば、伝送路からのＷＤＭ入力信号を受信して増幅する光増幅器が、ＷＤＭ入力信号の信号断を検知して監視通信部に知らせてもよい。また、クロスコネクト部または分波部がＷＤＭ入力信号に含まれる主信号とＯＳＣ信号をそれぞれモニタリングする手段を備え、そのモニタリング結果を監視制御部に知らせてもよい。
【００６６】
また、上述のステップで説明した動作は、本実施形態の動作例として例示したものであり、本発明は、上述のステップで説明した動作に限定されない。
【００６７】
なお、本願発明は、上述の各実施形態に限定されるものではなく、本願発明の要旨を逸脱しない範囲で種々変更、変形して実施することが出来る。
【符号の説明】
【００６８】
１、２、３、４、４＃ｎ、４＃ｎ＋１、４＃ｎ＋２    光伝送装置
１０    合波手段
１１、１３、２２    クロスコネクト手段
１２    監視制御手段
２１、２３    光増幅器
２４    分波手段
２５    監視通信手段
１１０、１１１、２１０、２１１    合波部
１２０、１６０、２２０、２６０    クロスコネクト部
１３０、１３１、２３０、２３１    監視通信部
１４０、２４０    監視制御部
１５０、１５１、２５０、２５１    分波部
１７０、１７１、１７２、１７３、２７０、２７１、２７２、２７３    光増幅器
【図１】
2015070421.tif 000003
【図２】
2015070421.tif 000004
【図３】
2015070421.tif 000005
【図４】
2015070421.tif 000006
【図５】
2015070421.tif 000007